(57)【要約】　　　（修正有）【課題】歯ブラシケースの携行中に歯ブラシがケースの中で揺動して、耳障りなガタガタ音を発したり、ブラシと紫外線殺菌ランプとの適正な位置関係がズレて殺菌効果が減殺される問題等を解決した携帯用の歯ブラシケースを提供する。【解決手段】揺動阻止部材は、歯ブラシの柄の全長のうち、ブラシに近いネック部分の片側面に圧接させ得る配置、又は、ネック部分を両側から挟み付け得る配置を以て取付け、更には、歯ブラシの柄の基端に近い箇所にも配置するとよい。そして、ヒンジは、嵌込蓋を備えた箱状のヒンジ本体と、計４本の連結ピンとの組合わせから成り、ケース本体及び蓋の夫々に周廻状に設けた側壁面には、ヒンジ本体を架け渡し状に嵌め込ませる為の１組の矩形切欠部を設けたことを特徴とする。【選択図】　　　図２
0003097826.tif 000002
【実用新案登録請求の範囲】
【請求項１】
歯ブラシを収容する収納凹部を設けたケース本体に、ヒンジを介して、蓋を連結し、
収納凹部に収めた歯ブラシのブラシの部分と対向する配置を以て、紫外線殺菌ランプを組込み、
且つ、収納凹部に収めた歯ブラシの揺動を阻止し位置決めする為の、揺動阻止部材を取付けたことを特徴とする携帯用の歯ブラシケース。
【請求項２】
揺動阻止部材は、歯ブラシの柄の全長のうち、ブラシに近いネック部分の片側面に圧接させ得る配置を以て取付けたことを特徴とする請求項１記載の携帯用の歯ブラシケース。
【請求項３】
揺動阻止部材は、歯ブラシの柄の全長のうち、ブラシに近いネック部分を両側から挟み付け得る配置を以て取付けたことを特徴とする請求項１記載の携帯用の歯ブラシケース。
【請求項４】
揺動阻止部材は、歯ブラシの柄の全長のうち、その基端に近い箇所にも設けたことを特徴とする請求項１乃至３のいずれかに記載の携帯用の歯ブラシケース。
【請求項５】
前記ヒンジは、嵌込蓋を備えて箱状を成すヒンジ本体と、計４本の連結ピンとの組合わせから成り、
且つ、ケース本体及び蓋には、側面壁が周廻状に設けられており、
ケース本体と蓋との連接箇所に於いて、夫々の側壁面の各縁端部に設けた１組の矩形切欠部間に、ヒンジ本体を架け渡す様に嵌め込んだ状態で、各矩形切欠部の左右の側端面とヒンジ本体の側壁とが摺接する夫々の箇所に設けた各１組の軸孔に、連結ピンの両端を挿し込ませたことを特徴とする請求項１記載の携帯用の歯ブラシケース。
【請求項６】
ケース本体、又は蓋の適宜の個所に、身だしなみや、歯の状態を確認する為の鏡を取付けたことを特徴とする請求項１記載の携帯用の歯ブラシケース。
【考案の詳細な説明】
【０００１】
【考案の属する技術分野】
本考案は、ブラシの部分に雑菌が繁殖しない様に、紫外線殺菌ランプを組み込んだ携帯用の歯ブラシケースに関する。
【０００２】
【従来の技術】
人の生命を維持して行く為に最も大切な器官である歯は、雑菌の好適な温床ともなるので、常に清潔に保って置かなければならない。理想的には、毎食後に歯磨きを励行することが望ましいとされている。
そこで、日中は家に居ない、或いは、出張する機会の多い勤労者等の為の、携帯用の歯ブラシケースが従来から市販されて来た。
【０００３】
上述の様に頻繁に使用される歯ブラシは、そのブラシ部分が完全に乾くいとまを与えられない。携帯用の歯ブラシケースの中に収められていれば尚更である。
歯茎の部分をブラッシングした後の歯ブラシには、口腔内の雑菌が多かれ少な転移し、保湿・保温状態のブラシを温床として増殖することになる。
この様な雑菌の増殖を防ぐ為の対策として、紫外線殺菌ランプを、ブラシの部分と対向する様に組付けた歯ブラシケースも商品化されている。
【０００４】
【考案が解決しようとする課題】
ところが、この紫外線殺菌ランプ付きの歯ブラシケースにも、尚改善すべき、下記の様な問題点が残されている。
（イ）　１種類の歯ブラシケースを、デザインが異なる複数種類の歯ブラシに兼用出来る様に、歯ブラシの収納凹部を大き目に作って置くと、歯ブラシケースの携行中に、歯ブラシが揺動して耳障りなガタガタ音を発する。
（ロ）　収納凹部の中で歯ブラシが揺動すれば、ブラシの部分と、紫外線殺菌ランプとの適正な位置関係がズレて、その分、殺菌効果が減殺されてしまう。
（ハ）　歯ブラシケースの立体的なデザインの自由度が、ケース本体と蓋とを連結させている在来のヒンジの開閉機構為に、大きな制約を受けている。
【０００５】
そこで本考案の目的は、紫外線殺菌ランプ付きのものに於いて、歯ブラシの収納凹部を、様々なタイプの歯ブラシを納められる様に広目に作って置くと、歯ブラシケースの携行中に、耳障りなガタガタ音を発したり、ブラシの部分と、紫外線殺菌ランプとの適正な位置関係がズレて、殺菌効果が減殺されてしまう、或いは、歯ブラシケースの立体的デザインの自由度が、ヒンジの開閉機構によって制約を受けている等の問題を解決した携帯用の歯ブラシケースを提供するにある。
【０００６】
【課題を解決するための手段】
上記の目的を達成する為の本考案による携帯用の歯ブラシケースは、
歯ブラシを収容する収納凹部を設けたケース本体に、ヒンジを介して、蓋を連結し、
収納凹部に収めた歯ブラシのブラシの部分と対向する配置を以て、紫外線殺菌ランプを組込み、
且つ、収納凹部に収めた歯ブラシの揺動を阻止し位置決めする為の、揺動阻止部材を取付けたことを特徴とする。
そして、揺動阻止部材は、歯ブラシの柄の全長のうち、ブラシに近いネック部分の片側面に圧接させ得る配置を以て取付けるか、又は、ネック部分を両側から挟み付け得る配置を以て取付けるか、或いは、歯ブラシの柄の全長のうち、その基端に近い箇所にも設けたことを特徴とする。
【０００７】
そして、本考案による携帯用の歯ブラシケースの組立に用いるヒンジは、
嵌込蓋を備えて箱状を成すヒンジ本体と、計４本の連結ピンとの組合わせから成り、
且つ、ケース本体及び蓋には、側面壁が周廻状に設けられており、
ケース本体と蓋との連接箇所に於いて、夫々の側壁面の各縁端部に設けた１組の矩形切欠部間に、ヒンジ本体を架け渡す様に嵌め込んだ状態で、各矩形切欠部の左右の側端面とヒンジ本体の側壁とが摺接する夫々の箇所に設けた各１組の軸孔に、連結ピンの両端を挿し込ませたことを特徴とする。
そして、ケース本体、又は蓋の適宜の個所に、身だしなみや、歯の状態を確認する為の鏡を取付けるとよい。
【０００８】
【考案の実施の形態】
以下に、本考案の具体的な構成に付いて、図面を参照しながら説明する。
図１は、本考案の一実施例としての歯ブラシケースＡを、蓋３を開いた状態で示した斜視図である。図２は、蓋３を開いた歯ブラシケースＡのケース本体１の中に歯ブラシＢを収めた状態の上面視図である。
【０００９】
歯ブラシケースＡの概略の構成は、図１に示した様に、歯ブラシＢを収容する為の内ケース２を内嵌させたケース本体１と、蓋３とを、１組のヒンジ４，４を介して開閉自在に連結させている。
そして、図２に示した様に、歯ブラシＢを収めた状態で、そのブラシ５０と対向する箇所には、紫外線殺菌ランプ５を組込んでいる。
【００１０】
次に、この実施例の歯ブラシケースＡの細部の構造に付いて、順次説明する。
合成樹脂製で長細い歯ブラシケースＡは、図１に示した様に、その両端部及び頂面に丸みを持たせたデザインになっている。
ケース本体１には、側面壁１ａが周廻状に設けられている。
内ケース２には、図１，図２に示した様に、その横幅方向の一方側に、歯ブラシＢを収める為の収納凹部Ｓを形成させている。
【００１１】
内ケース２の横幅方向の他方側には、上述の如くして、紫外線殺菌ランプ５を組付けている。
又、電源電池（図示略）を収める電池収納部６と、紫外線殺菌ランプ５への通電を制御する電気回路部品（図示略）を収める回路部品収納部７とを設けている。
【００１２】
回路部品収納部７の頂面には、紫外線殺菌ランプ５を点・滅させるプッシュ式スイッチの押圧ノブ８を突出させて、蓋３の閉鎖時に、その動きを受けてオン作動する様にしている。
電気回路には、スイッチのオン作動後、設定時間経過後に、オフ作動させるタイマー回路が組込まれている。
【００１３】
更に、収納凹部Ｓの側壁面には、この収納凹部Ｓに収めた歯ブラシＢの揺動を阻止し位置決めする為の、揺動阻止部材１０を取付けている。
この実施例の揺動阻止部材１０は、適度の柔軟性と剛性とを併せ備えたプラスチック乃至はゴム製の、中空又は中実のブロック状体から成る。
揺動阻止部材１０は、図２に示した様に、歯ブラシＢの柄５１の全長のうち、ブラシ５０に近いネック部分５１ａに当接させられる様に、その形状と配設個所を選定している。
【００１４】
そして、揺動阻止部材１０には、図４の（ａ）に示した様に、歯ブラシＢの柄５１のネック部分５１ａに当接させる当接面１０ａに、複数列の突条ａを設けている。
又、図示は省いたが、当接面１０ａと対向する裏側面には、揺動阻止部材１０を、収納凹部Ｓの側壁面に係脱自在に固定させる為の係合突部を設けている。
この係合突部は、収納凹部Ｓの側壁面に設けた係合孔（図示略）に、弾力的に嵌め込まれる。
【００１５】
更に、図１，図２に示した様に、回路部品収納部７の頂面には、歯の状態の確認や、身だしなみ等の為に役立つ鏡１１を取付けている。
この鏡１１の取付個所は、図示の位置に限られず、内ケース２や蓋３の形状のデサインの如何等に応じて、それ等の適宜の個所を選んで取付ければよい。
【００１６】
蓋３にも、図１に示した様に、側面壁３ａが周廻状に設けられている。
そして、蓋３には、内ケース２の内部の様子を窺う為の、覗き窓２１を設けている。
又、内ケース２内にこもる湿気を排出させる為の通気孔２２を、適宜に設けている。
【００１７】
次に、この実施例のヒンジ４の構造に就いて、その分解斜視図としての図３を参照しながら説明する。
ヒンジ４は、扁平な箱状に形成されたヒンジ本体３１と、ケース本体１に蓋３を開閉自在に連結させる為の計４本の短小な連結ピン３２と、ケース本体１の開放上面を閉ざす嵌込蓋３３とを備えている。
【００１８】
図３に示した様に、箱状のヒンジ本体３１の長手方向の両側壁３１ｂ，３１ｂには、夫々の左右両側に、連結ピン３２を挿通させる為の軸孔ｂを夫々設けている。
【００１９】
一方、ケース本体１及び蓋３の、隣り合う側面壁１ａ及び３ａには、図２及び図３に示した様に、その長手方向の両端寄りの２箇所に、ヒンジ本体３１を嵌め込ませる為の矩形切欠部９を、側面壁の上縁から切込状に設けている。
そして、矩形切欠部９の左右の側端面９ａ，９ａにも、連結ピン３２を挿し込ませる為の軸孔ｃを夫々設けている。
【００２０】
次に、上記のヒンジ４を用いて、ケース本体１に、蓋３を開閉自在に連結させる組立手順に就いて、図３を参照しながら説明する。
この連結を行う前に、ヒンジ４は、箱状のヒンジ本体３１と、嵌込蓋３３と、計４本の連結ピン３２とに夫々分離させて置く。
【００２１】
この状態から、ケース本体１にヒンジ４の片側部分を連結させるには、先ず、ヒンジ本体３１の横幅方向の一方側の端部を、ケース本体１の矩形切欠部９に、遊嵌状態で嵌め込ませる。
そして、ヒンジ本体３１の長手方向の両側壁３１ｂの軸孔ｂと、矩形切欠部９の側端面９ａの軸孔ｃとを、同軸状に整合させる。
然かる後、図３に示した様に、この整合状態の軸孔ｂ，ｃに、ヒンジ本体３１の内空部から、連結ピン３２を完全に挿し込めば、ヒンジ４の横幅方向の片側部分が、ケース本体１の側面壁１ａに仮止状態でピン連結される。
【００２２】
次いで、ヒンジ４の横幅方向の他方側部分も、上記と同様にして蓋３の側壁面３ａに仮止状態で連結させる。
そして最後に、ヒンジ本体３１の開放上面に嵌込蓋３３を押し込むと、図３から理解される様に、挿込済みの各連結ピン３２の内側端面に、嵌込蓋３３の側端面が夫々当接された状態になる。
【００２３】
その為、軸孔ｂ，ｃに完全に挿し込んだはずの連結ピン３２が、蓋３を反復開閉動させているうちにズレ動いて、ヒンジ本体３１の内空部側に脱落してしまう恐れが無くなり、ヒンジ４の本取付けは完了する。
尚、嵌込蓋３３の脱落を防ぐ為に、図示は省いたが、嵌込蓋３３の側端面と、ヒンジ本体３１の内壁面との当接箇所には、互いに弾力的に嵌まり合う係合用凹凸を設けている。
【００２４】
次に、上記実施例の歯ブラシケースＡの使い方に就いて説明する。
歯を磨き終えた歯ブラシＢを、蓋３を開いた歯ブラシケースＡの収納凹部Ｓに押し込むと、図２に示した様に、歯ブラシＢの柄５１のネック部分５１ａが、収納凹部Ｓの側壁面と揺動阻止部材１０との間に、弾力的に挟み込まれた状態になる。
その為、歯ブラシケースＡの携行中に、歯ブラシＢが収納凹部Ｓの中で揺動して、耳障りなガタガタ音を発することが無くなる。
【００２５】
又、歯ブラシケースＡの携行中に、歯ブラシＢが収納凹部Ｓの中で揺動して、ブラシ５０と紫外線殺菌ランプ５との正しい位置関係がズレてしまい、紫外線殺菌ランプ５によるブラシ５０の消毒効果が減殺される恐れも無くなる。
【００２６】
そして、タイプの異なる歯ブラシＢにも使える様に、収納凹部Ｓを多少広目にして置いても、弾性材料で作られて、然も、歯ブラシＢのネック部分５１ａへの当接面１０ａに突条ａを設けた揺動阻止部材１０が、このネック部分５１ａを収納凹部Ｓの内壁面に押し付けて、歯ブラシＢの揺動を確実に阻止してくれる。
【００２７】
次に、図４の（ａ）〜（ｆ）に、揺動阻止部材１０の形状の第１のタイプ、即ち、収納凹部Ｓの内壁面の１箇所だけに取付けるタイプの揺動阻止部材１０に就いて、６つの変形事例を示した。
【００２８】
次に、図５の（ａ）〜（ｉ）に、揺動阻止部材１０の形状の第２のタイプ、即ち、収納凹部Ｓの一組の対向内壁面の夫々に、揺動阻止部材１０Ａと１０Ｂとを取付けて、ネック部分５１ａを挟み付けるタイプに就いての、９つの変形事例を示した。
このタイプでは、揺動阻止部材１０Ａ又は１０Ｂに空洞部ｄを設けたたり、２分割したものもある。
【００２９】
次に、図６の（ａ）及び（ｂ）に、揺動阻止部材１０の形状の第３のタイプ、即ち、歯ブラシＢの柄５１のネック部分５１ａと、柄５１の基端部との２箇所を、対向状の配置で取付けた各１組の揺動阻止部材１０Ａ，１０Ｂによって、夫々挟み付けるタイプに就いての、２つの変形事例を示した。
【００３０】
【考案の効果】
以上の説明によって明らかな様に、本考案による紫外線殺菌ランプ付きで、携帯用の歯ブラシケースは、以下に列挙し如き、実用上の好ましい効果を奏する。
（ａ）　歯ブラシの収納凹部を、デザインが異なる様々な歯ブラシを支障無く納められる様に幾分広目に作っても、歯ブラシケースの携行中に、歯ブラシが揺動して耳障りなガタガタ音を発する不具合が生じない。
（ｂ）　歯ブラシケースの携行中等に、収納凹部の中で歯ブラシが揺動して、毛を植えたブラシの部分と、紫外線殺菌ランプとの適正な位置関係がズレてしまう不具合が生じない。
（ｃ）　従って、携行中に歯ブラシがズレ動いて、紫外線殺菌ランプの効果が減殺されてしまう不具合が無くなる。
（ｄ）　ケース本体と蓋とは、特殊の構造のヒンジを用いて連結させているので、ケース本体と蓋との夫々を、様々な立体形状にデザインしても、蓋の開閉に支障を来す様な不具合を生じない。
（ｅ）　ケース本体、又は蓋に取付けた鏡が、歯の状態の確認や、身だしなみ等の為に大いに役立つ。
【図面の簡単な説明】
【図１】本考案の一実施例を示すもので、蓋部を開いた状態の歯ブラシケースの斜視図である。
【図２】同上、蓋を開いたケース本体に、歯ブラシを収めた状態の平面図である。
【図３】同上、ヒンジの構造とその取付方法を示した、分解斜視図である。
【図４】本考案による歯ブラシの揺動阻止部材の第１のタイプに就いて、６つの変形事例を示した要部の平面視図である。
【図５】本考案による歯ブラシの揺動阻止部材の第２のタイプに就いて、９つの変形事例を示した要部の平面視図である。
【図６】本考案による歯ブラシの揺動阻止部材の第３のタイプに就いて、２つの変形事例を示したケース本体の平面図である。
【符号の説明】
Ａ　歯ブラシケース
Ｂ　歯ブラシ
Ｓ　収納凹部
１　ケース本体
１ａ　側面壁
２　内ケース
３　蓋
３ａ　側面壁
４　ヒンジ
５　紫外線殺菌ランプ
６　電池収納部
７　回路部品収納部
８　押圧ノブ
９　矩形切欠部
９ａ　側端面
１０，１０Ａ，１０Ｂ　揺動阻止部材
１０ａ　当接面
１１　鏡
２１　覗き窓
２２　通気孔
３１　ヒンジ本体
３１ａ，３１ｂ　側壁
３２　連結ピン
３３　嵌込蓋
ａ　突条
ｂ，ｃ　軸孔
５０　ブラシ
５１　柄
５１ａ　ネック部分
【図１】
0003097826.tif 000003
【図２】
0003097826.tif 000004
【図３】
0003097826.tif 000005
【図４】
0003097826.tif 000006
【図５】
0003097826.tif 000007
【図６】
0003097826.tif 000008